(57)【要約】  携帯電話やカーナビ端末等の表示能力が限られた端末装置においても、情報ソースを効率的にユーザに提示することを可能にする。  情報ソースを画面上に提示する機能を有する情報処理装置において、アイコン化した情報ソースに、情報ソースが持つ意味内容を表すメタ情報と、メタ情報が持つ意味との関連度合いの強さを示す優先度数を付加して、アイコンオブジェクトとして管理するアイコンオブジェクト管理部１０４と、アイコンオブジェクトを画面上に表示する際の背景画像を含む背景情報と、背景画像上に表示するアイコンオブジェクトを特定するための優先度勾配情報を、フィールドオブジェクトとして管理するフィールドオブジェクト管理部１０１と、アイコンオブジェクト管理部とフィールドオブジェクト管理部のアイコンオブジェクトとフィールドオブジェクト内のメタ情報、優先度数、背景情報と優先度勾配情報を用いて、情報ソースの画面上の表示位置を算出するレイアウト演算部１０５とを含む。
2010084949.tif 000002
【特許請求の範囲】
【請求項１】
情報ソースを画面上に提示する機能を有する情報処理装置において、
アイコン化した情報ソースに、前記情報ソースが持つ意味を表すメタ情報と、前記メタ情報が持つ意味との関連度合いの強さを示す優先度数を付加して、アイコンオブジェクトとして管理するアイコンオブジェクト管理手段と、
前記アイコンオブジェクトを画面上に表示する際の背景画像を含む背景情報と、前記背景画像上に表示する前記アイコンオブジェクトを特定するための優先度勾配情報を、フィールドオブジェクトとして管理するフィールドオブジェクト管理手段と、
前記アイコンオブジェクト管理手段と前記フィールドオブジェクト管理手段それぞれが管理する前記アイコンオブジェクトと前記フィールドオブジェクト内の前記メタ情報、前記優先度数、前記背景情報と前記優先度勾配情報を用いて、前記情報ソースの画面上の表示位置を算出するレイアウト演算手段と
を備えたことを特徴とする情報処理装置。
【請求項２】
前記フィールドオブジェクト管理手段は、外部から通知される所定のメタ情報を元に、前記アイコンオブジェクト及び前記フィールドオブジェクトを格納するオブジェクトデータ格納部から、適切なフィールドオブジェクトを選択し、選択したフィールドオブジェクトを前記アイコンオブジェクト管理手段に通知することを特徴とする請求項１に記載の情報処理装置。
【請求項３】
情報を画面上に提示する機能を有する情報処理装置において、
所定のサービスを提供する機能を有するサーバとネットワークを介して接続され、
アイコン化した情報ソースに、前記情報ソースが持つ意味を表すメタ情報と、前記メタ情報が持つ意味との関連度合いの強さを示す優先度数を付加して、アイコンオブジェクトとして管理するアイコンオブジェクト管理手段と、
前記サーバから送られる前記サービスの情報リソースと、前記サービスの情報リソースと関連付けた、前記アイコンオブジェクトを画面上に表示する際の背景画像を含む背景情報と、前記背景画像上に表示する前記アイコンオブジェクトを特定するための優先度勾配情報を含むフィールドオブジェクトを受け取る手段と、
前記アイコンオブジェクト管理手段が管理する前記アイコンオブジェクトと、前記サーバから受け取った前記フィールドオブジェクト内の前記メタ情報、前記優先度数、前記背景情報と前記優先度勾配情報を用いて、前記情報ソースの画面上の表示位置を算出するレイアウト演算手段と
を備えたことを特徴とする情報処理装置。
【請求項４】
前記背景情報が、前記背景画像内の任意の地点に前記メタ情報を属性として有する基準点と、前記基準点を中心として前記メタ情報が作用する有効範囲を含み、
前記優先度勾配情報が、前記有効範囲内における前記メタ情報に対する意味的関連性の強さの勾配を示す情報を含むことを特徴とする請求項１から請求項３の何れかに記載の情報処理装置。
【請求項５】
前記アイコンオブジェクト管理手段は、通知されたフィールドオブジェクトの優先度勾配情報に含まれる基準点に紐付けされたメタ情報に基づいて、前記オブジェクトデータ格納部から関連するアイコンオブジェクトを選定することを特徴とする請求項１から請求項４の何れかに記載の情報処理装置。
【請求項６】
前記レイアウト演算手段は、前記優先度数が最大であるアイコンオブジェクトを検索し、前記優先度数が最大のアイコンオブジェクトを前記フィールドオブジェクトの所定の基準点上に配置することを決定し、
次に、前記優先度数が最大の前記アイコンオブジェクトに対する他のアイコンオブジェクトの優先度数の相対比を求め、
前記優先度数の相対比に基づいて、前記他のアイコンオブジェクトを配置する位置を求めることを特徴とする請求項１から請求項５の何れかに記載の情報処理装置。
【請求項７】
前記レイアウト演算手段によって算出した前記アイコンオブジェクト間の表示位置に重なりが生じる場合、前記アイコンオブジェクトの表示領域と前記優先度数を元に、表示位置を重なり合いが生じない位置に補正する競合管理手段を有する
ことを特徴とする請求項１から請求項６の何れかに記載の情報処理装置。
【請求項８】
前記レイアウト演算手段によって算出した前記アイコンオブジェクト間の表示位置に重なりが生じる場合、重なりあっている前記アイコンオブジェクトの中から最も優先度数の高い前記アイコンオブジェクト以外をすべて非表示にする競合管理手段を有する
ことを特徴とする請求項１から請求項６の何れかに記載の情報処理装置。
【請求項９】
情報を画面上に提示する機能を有する情報処理装置における情報提示方法であって、
アイコン化した情報ソースに、前記情報ソースが持つ意味を表すメタ情報と、前記メタ情報が持つ意味との関連度合いの強さを示す優先度数を付加して、アイコンオブジェクトとして管理するステップと、
前記アイコンオブジェクトを画面上に表示する際の背景画像を含む背景情報と、前記背景画像上に表示する前記アイコンオブジェクトを特定するための優先度勾配情報を、フィールドオブジェクトとして管理するステップと、
前記アイコンオブジェクトと前記フィールドオブジェクト内の前記メタ情報、前記優先度数、前記背景情報と前記優先度勾配情報を用いて、前記情報ソースの画面上の表示位置を算出するステップと
を含むことを特徴とする情報提示方法。
【請求項１０】
前記フィールドオブジェクト管理ステップで、外部から通知される所定のメタ情報を元に、前記アイコンオブジェクト及び前記フィールドオブジェクトを格納するオブジェクトデータ格納部から、適切なフィールドオブジェクトを選択し、選択したフィールドオブジェクトを前記アイコンオブジェクト管理ステップに通知することを特徴とする請求項９に記載の情報提示方法。
【請求項１１】
情報を画面上に提示する機能を有する情報処理装置における情報提示方法であって、
アイコン化した情報ソースに、前記情報ソースが持つ意味を表すメタ情報と、前記メタ情報が持つ意味との関連度合いの強さを示す優先度数を付加して、アイコンオブジェクトとして管理するステップと、
ネットワークを介して接続され所定のサービスを提供する機能を有するサーバから送られる前記サービスの情報リソースと、前記サービスの情報リソースと関連付けた、前記アイコンオブジェクトを画面上に表示する際の背景画像を含む背景情報と、前記背景画像上に表示する前記アイコンオブジェクトを特定するための優先度勾配情報を含むフィールドオブジェクトを受け取るステップと、
前記アイコンオブジェクトと、前記サーバから受け取った前記フィールドオブジェクト内の前記メタ情報、前記優先度数、前記背景情報と前記優先度勾配情報を用いて、前記情報ソースの画面上の表示位置を算出するステップと
を含むことを特徴とする情報提示方法。
【請求項１２】
前記背景情報が、前記背景画像内の任意の地点に前記メタ情報を属性として有する基準点と、前記基準点を中心として前記メタ情報が作用する有効範囲を含み、
前記優先度勾配情報が、前記有効範囲内における前記メタ情報に対する意味的関連性の強さの勾配を示す情報を含むことを特徴とする請求項９から請求項１１の何れかに記載の情報提示方法。
【請求項１３】
前記アイコンオブジェクト管理ステップで、通知されたフィールドオブジェクトの優先度勾配情報に含まれる基準点に紐付けされたメタ情報に基づいて、前記オブジェクトデータ格納部から関連するアイコンオブジェクトを選定することを特徴とする請求項９から請求項１２の何れかに記載の情報提示方法。
【請求項１４】
前記レイアウト演算ステップで、前記優先度数が最大であるアイコンオブジェクトを検索し、前記優先度数が最大のアイコンオブジェクトを前記フィールドオブジェクトの所定の基準点上に配置することを決定し、
次に、前記優先度数が最大の前記アイコンオブジェクトに対する他のアイコンオブジェクトの優先度数の相対比を求め、
前記優先度数の相対比に基づいて、前記他のアイコンオブジェクトを配置する位置を求めることを特徴とする請求項９から請求項１３の何れかに記載の情報提示方法。
【請求項１５】
前記レイアウト演算ステップで算出した前記アイコンオブジェクト間の表示位置に重なりが生じる場合、前記アイコンオブジェクトの表示領域と前記優先度数を元に、表示位置を重なり合いが生じない位置に補正する競合管理ステップを含む
ことを特徴とする請求項９から請求項１４の何れかに記載の情報提示方法。
【請求項１６】
前記レイアウト演算ステップで算出した前記アイコンオブジェクト間の表示位置に重なりが生じる場合、重なりあっている前記アイコンオブジェクトの中から最も優先度数の高い前記アイコンオブジェクト以外をすべて非表示にする競合管理ステップを含む
ことを特徴とする請求項９から請求項１４の何れかに記載の情報提示方法。
【請求項１７】
情報を画面上に提示する機能を有する情報処理装置上で動作する情報提示プログラムであって、
前記情報処理装置に、
アイコン化した情報ソースに、前記情報ソースが持つ意味を表すメタ情報と、前記メタ情報が持つ意味との関連度合いの強さを示す優先度数を付加して、アイコンオブジェクトとして管理する処理と、
前記アイコンオブジェクトを画面上に表示する際の背景画像を含む背景情報と、前記背景画像上に表示する前記アイコンオブジェクトを特定するための優先度勾配情報を、フィールドオブジェクトとして管理する処理と、
前記アイコンオブジェクトと前記フィールドオブジェクト内の前記メタ情報、前記優先度数、前記背景情報と前記優先度勾配情報を用いて、前記情報ソースの画面上の表示位置を算出する処理と、を実行させることを特徴とする情報提示プログラム。
【請求項１８】
前記フィールドオブジェクト管理処理で、収集した所定のメタ情報を元に、前記アイコンオブジェクト及び前記フィールドオブジェクトを格納するオブジェクトデータ格納部から、適切なフィールドオブジェクトを選択し、選択したフィールドオブジェクトを前記アイコンオブジェクト管理処理に通知することを特徴とする請求項１７に記載の情報提示プログラム。
【請求項１９】
情報を画面上に提示する機能を有する情報処理装置上で動作する情報提示プログラムであって、
前記情報処理装置に、
アイコン化した情報ソースに、前記情報ソースが持つ意味を表すメタ情報と、前記メタ情報が持つ意味との関連度合いの強さを示す優先度数を付加して、アイコンオブジェクトとして管理する処理と、
ネットワークを介して接続され所定のサービスを提供する機能を有するサーバから送られる前記サービスの情報リソースと、前記サービスの情報リソースと関連付けた、前記アイコンオブジェクトを画面上に表示する際の背景画像を含む背景情報と、前記背景画像上に表示する前記アイコンオブジェクトを特定するための優先度勾配情報を含むフィールドオブジェクトを受け取る処理と、
前記アイコンオブジェクトと、前記サーバから受け取った前記フィールドオブジェクト内の前記メタ情報、前記優先度数、前記背景情報と前記優先度勾配情報を用いて、前記情報ソースの画面上の表示位置を算出する処理と、を実行させることを特徴とする情報提示プログラム。
【請求項２０】
前記背景情報が、前記背景画像内の任意の地点に前記メタ情報を属性として有する基準点と、前記基準点を中心として前記メタ情報が作用する有効範囲を含み、
前記優先度勾配情報が、前記有効範囲内における前記メタ情報に対する意味的関連性の強さの勾配を示す情報を含むことを特徴とする請求項１７から請求項１９の何れかに記載の情報提示プログラム。
【請求項２１】
前記アイコンオブジェクト管理処理で、通知されたフィールドオブジェクトの優先度勾配情報に含まれる基準点に紐付けされたメタ情報に基づいて、前記オブジェクトデータ格納部から関連するアイコンオブジェクトを選定することを特徴とする請求項１７から請求項２０の何れかに記載の情報提示プログラム。
【請求項２２】
前記レイアウト演算処理で、前記優先度数が最大であるアイコンオブジェクトを検索し、前記優先度数が最大のアイコンオブジェクトを前記フィールドオブジェクトの所定の基準点上に配置することを決定し、
次に、前記優先度数が最大の前記アイコンオブジェクトに対する他のアイコンオブジェクトの優先度数の相対比を求め、
前記優先度数の相対比に基づいて、前記他のアイコンオブジェクトを配置する位置を求めることを特徴とする請求項１７から請求項２１の何れかに記載の情報提示プログラム。
【請求項２３】
前記レイアウト演算処理で算出した前記アイコンオブジェクト間の表示位置に重なりが生じる場合、前記アイコンオブジェクトの表示領域と前記優先度数を元に、表示位置を重なり合いが生じない位置に補正する競合管理処理を有する
ことを特徴とする請求項１７から請求項２２の何れかに記載の情報提示プログラム。
【請求項２４】
前記レイアウト演算処理で算出した前記アイコンオブジェクト間の表示位置に重なりが生じる場合、重なりあっている前記アイコンオブジェクトの中から最も優先度数の高い前記アイコンオブジェクト以外をすべて非表示にする競合管理処理を有する
ことを特徴とする請求項１７から請求項２２の何れかに記載の情報提示プログラム。
【発明の詳細な説明】
【技術分野】
【０００１】
本発明は、アイコン化された複数の情報ソースを画面上に提示する機能を有する情報処理装置、情報提示方法、情報提示プログラムに関する。
【背景技術】
【０００２】
アイコン化された情報の提示は、ＰＣ、携帯電話、カーナビなどの端末装置の形式やサービスの内容を問わず様々なシーンで行われている。例えば、ＰＣの場合であると、デスクトップ画面上には様々なアプリケーションやデータに関するアイコンが並んで提示される。携帯電話の場合では、その機能を一覧できるメニュー画面として、各機能をアイコン化した画面を表示する機能が殆ど全ての装置に備えられている。各機能をアイコン化して画面に表示する関連技術の一例が、例えば特許文献１に記載されている。【０００３】
また、カーナビゲーションシステムにおいては、道路上に位置する店舗の位置情報などをアイコン化し経路案内と共に表示するのが一般的である。この種の関連技術の一例が、例えば特許文献２に記載されている。【０００４】
さらに近年では、ウィジェットと呼ばれるデスクトップ上で実行可能なウェブアプリケーション環境が普及している。このアプリケーション環境では、簡素な機能を持ったアプリケーションを実行状態で幾つもデスクトップ上に配置できることが特徴の一つとされている。また、このアプリケーション環境はＰＣだけではなくモバイル端末にも移植されている。この種の関連技術の一例が、例えば特許文献３に記載されている。
【先行技術文献】
【特許文献】
【０００５】
【特許文献１】特開２００６−１８５２７３号公報
【特許文献２】特開２００７−３０３８７８号公報
【特許文献３】特開２００７−１６６２５９号公報
【発明の概要】
【発明が解決しようとする課題】
【０００６】
特許文献３に記載されるような、ウィジェットのようなアプリケーション実行環境では、ユーザはダウンロード、もしくはプッシュ配信されたウィジェットを好きなようにデスクトップ上に配置できるが、これを携帯電話のような表示デバイスの表示能力が限定された端末装置上で実現する場合、自ずと配置できるウィジェットの数が限定されてしまう。さらにウィジェット自身の表示領域も大幅に削減する必要があり、それに伴いウィジェットの情報提示能力が低下してしまうという問題がある。【０００７】
近年、インターネットではユーザ自身が情報発信元となり、情報元を利用したサービスの提供をコストを支払うことなく、ユーザに届けることができる環境が整いつつある。しかし、携帯電話やカーナビ端末のように限られた表示能力しか持たない端末装置上では、カーナビゲーションシステムのように、特定のサービス事業者がコストを対価に情報元を整理・構築する必要があるため、インターネットなどのオープンで多大な情報ソースを効率的にユーザに提示することができないという問題がある。【０００８】
（発明の目的）
本発明は、上記問題を解決するためになされたものであり、その目的は、携帯電話やカーナビ端末等の表示能力が限られた端末装置においても、情報ソースを効率的にユーザに提示することができる情報処理装置、情報提示方法、情報提示プログラムを提供することにある。
【課題を解決するための手段】
【０００９】
本発明による情報処理装置は、情報ソースを画面上に提示する機能を有する情報処理装置において、アイコン化した情報ソースに、情報ソースが持つ意味を表すメタ情報と、メタ情報が持つ意味との関連度合いの強さを示す優先度数を付加して、アイコンオブジェクトとして管理するアイコンオブジェクト管理手段と、アイコンオブジェクトを画面上に表示する際の背景画像を含む背景情報と、背景画像上に表示するアイコンオブジェクトを特定するための優先度勾配情報を、フィールドオブジェクトとして管理するフィールドオブジェクト管理手段と、アイコンオブジェクト管理手段とフィールドオブジェクト管理手段それぞれが管理するアイコンオブジェクトとフィールドオブジェクト内のメタ情報、優先度数、背景情報と優先度勾配情報を用いて、情報ソースの画面上の表示位置を算出するレイアウト演算手段とを含む。【００１０】
本発明による情報提示方法は、情報を画面上に提示する機能を有する情報処理装置における情報提示方法であって、アイコン化した情報ソースに、情報ソースが持つ意味を表すメタ情報と、メタ情報が持つ意味との関連度合いの強さを示す優先度数を付加して、アイコンオブジェクトとして管理するステップと、アイコンオブジェクトを画面上に表示する際の背景画像を含む背景情報と、背景画像上に表示するアイコンオブジェクトを特定するための優先度勾配情報を、フィールドオブジェクトとして管理するステップと、アイコンオブジェクトとフィールドオブジェクト内のメタ情報、優先度数、背景情報と優先度勾配情報を用いて、情報ソースの画面上の表示位置を算出するステップとを含む。【００１１】
本発明による情報提示プログラムは、情報を画面上に提示する機能を有する情報処理装置上で動作する情報提示プログラムであって、情報処理装置に、アイコン化した情報ソースに、情報ソースが持つ意味を表すメタ情報と、メタ情報が持つ意味との関連度合いの強さを示す優先度数を付加して、アイコンオブジェクトとして管理する処理と、アイコンオブジェクトを画面上に表示する際の背景画像を含む背景情報と、背景画像上に表示するアイコンオブジェクトを特定するための優先度勾配情報を、フィールドオブジェクトとして管理する処理と、アイコンオブジェクトとフィールドオブジェクト内のメタ情報、優先度数、背景情報と優先度勾配情報を用いて、情報ソースの画面上の表示位置を算出する処理と、を実行させる。
【発明の効果】
【００１２】
本発明によれば、携帯電話やカーナビ端末等の表示能力が限られた端末装置においても、情報ソースを効率的にユーザに提示することができることができる。
【図面の簡単な説明】
【００１３】
【図１】本発明の第１の実施の形態による情報提示システムの全体の構成を示すブロック図である。
【図２】第１の実施の形態による情報提示システムの操作入力受付部における入力結果の変換方法の具体例を示す図である。
【図３】第１の実施の形態による情報提示システムの動作内容を示すフローチャートである。
【図４】第１の実施の形態におけるフィールドオブジェクトの優先度勾配情報の具体例を示す図である。
【図５】第１の実施の形態による情報提示システムのレイアウト演算部によるアイコンオブジェクト配置演算結果の具体例を示す図である。
【図６】本発明の第２の実施の形態による情報提示システムの全体の構成を示すブロック図である。
【図７】第２の実施の形態による情報提示システムの動作内容を示すフローチャートである。
【図８】第２の実施の形態による情報提示システムの画面表示部における画面表示の具体例を示す図である。
【図９】本発明の実施の形態による端末装置のハードウェア構成例を示すブロック図である。
【発明を実施するための形態】
【００１４】
次に、本発明の実施の形態について図面を参照して詳細に説明する。
【００１５】
（第１の実施の形態）
図１を参照すると、本発明の第１の実施の形態は、ユーザに画面を通じて情報を提示する機能を有する情報処理装置である端末装置１００上で実現される。この端末装置１００としては、例えば、携帯電話やカーナビ端末等の表示能力が限られた情報処理装置が利用される。
【００１６】
端末装置１００は、フィールドオブジェクト管理部１０１と、操作入力受付部１０２と、センサー情報入力受付部１０３と、アイコンオブジェクト管理部１０４と、レイアウト演算部１０５と、競合管理部１０６と、画面表示部１０７と、オブジェクトデータ格納部１０８とを含む。
【００１７】
フィールドオブジェクト管理部１０１は、後述するフィールドオブジェクトを端末ユーザの入力や端末装置が取得するセンサー情報を元に適切なフィールドオブジェクトを選択し、レイアウト演算部１０５に送る機能を有する。
【００１８】
フィールドオブジェクトは、端末ユーザに提示する情報としてのアイコンオブジェクトを表示する際、それらのアイコンが表示される背景をユーザに認知させるためのものであり、背景情報と優先度勾配情報を有している。
【００１９】
ここで、背景情報とは、単一もしくは複数のアイコンオブジェクトが端末装置画面上に表示される際の背景イメージを表現する画像情報である。なお、一般的に端末装置１００が備える画面表示用デバイスである画面表示部１０７は、一定の画面サイズを持っているが、背景情報が表現される領域のサイズは、この画面サイズに限定されない。
【００２０】
優先度勾配情報とは、メタ情報によって意味付けされたアイコンオブジェクトが背景情報のどのポイントに配置されるかを決定するための情報である。具体的には、背景情報の領域内の任意のポイントに、特定のメタ情報を持つアイコンオブジェクトが配置されるべき基準点と、その基準点を中心とした有効範囲、さらに基準点から有効範囲の外縁にかけてアイコンオブジェクトに作用する関連性の強さの勾配を表現したものからなる。
【００２１】
特定のメタ情報に対応した優先度勾配情報は、１つのフィールドオブジェクト内に複数持つことが可能である。
【００２２】
選択対象となる複数のフィールドオブジェクトは、後述するオブジェクトデータ格納部１０８から取得する。
【００２３】
操作入力受付部１０２は、端末ユーザの操作を物理的なデバイス（例えばボタンやタッチパネル等）を介して受付け、その入力結果（操作内容）を変換し、フィールドオブジェクト管理部１０１に送る機能を有する。
【００２４】
操作入力受付部１０２における入力結果の変換とは、具体的には、端末ユーザの操作入力情報から、アイコンオブジェクト、ならびにフィールドオブジェクトに含まれる優先度勾配情報の基準点が持つメタ情報への変換を意味している。
【００２５】
図２は、操作入力受付部１０２における入力結果の変換の具体例を示している。
【００２６】
図２に示すように、複数のタグ切り替えが可能な画面デザインを持ったメニューアプリケーションを、端末ユーザが端末装置１００上で利用する場合を想定する。このメニューアプリケーションでは、「買い物」、「食事」、「遊び」のようにユーザが希望する状況を表す情報がタグとして示されている。端末ユーザがタッチパネル等を操作してそれぞれのタグを選択すると、それぞれのタグに対応したフィールドオブジェクトが画面表示部１０７の画面上に展開される仕様となっている。
【００２７】
この具体例の場合、「画面上のタグをタッチパネル経由でクリックした」というソフトウェア的なイベントが端末ユーザの操作入力情報に相当し、これが入力結果となる。また、仮にタッチされたタグが「買い物」であるとすると、操作入力受付部１０２で変換された結果得られるメタ情報は「買い物」となる。
【００２８】
フィールドオブジェクト管理部１０１は、操作入力受付部１０２からの入力より特定のメタ情報を得て、自身の管理するフィールドオブジェクトを格納するオブジェクトデータ格納部１０８から適切なフィールドオブジェクトを選択する。
【００２９】
センサー情報入力受付部１０３は、端末装置１００が備えるセンサーから出力される情報を集めて、加工した後フィールドオブジェクト管理部１０１に送る機能を有する。
【００３０】
センサー情報入力受付部１０３におけるセンサー情報の収集と加工とは、具体的には、端末装置１００が備えるセンサーから出力されるセンサー固有の値から、アイコンオブジェクト、ならびにフィールドオブジェクトに含まれる優先度勾配情報の基準点が持つメタ情報への変換を意味している。以下にその具体例を示す。
【００３１】
例えば、端末装置１００がセンサーとしてＧＰＳ（Global Positioning System）を搭載し、その端末装置１００を所持するユーザが品川周辺に移動したことを想定する。
【００３２】
センサー情報入力受付部１０３は、ＧＰＳから取得した緯度・経度情報を元に現在地が品川周辺であることを認知する。認知方法は地図情報から、ＧＰＳより得られた緯度・経度を当てはめる。地図情報はセンサー情報入力受付部１０３が内部データとして持っていてもよいし、外部との通信によって得てもよい。何れの場合でも、結果としてセンサー情報入力受付部１０３は、メタ情報「品川周辺」を取得する。
【００３３】
フィールドオブジェクト管理部１０１は、センサー情報入力受付部１０３からの入力より特定のメタ情報を得て、自身の管理するフィールドオブジェクトを格納するオブジェクトデータ格納部１０８から適切なものを選択する。
【００３４】
アイコンオブジェクト管理部１０４は、後述するアイコンオブジェクトを、フィールドオブジェクト管理部１０１によって選択されたフィールドオブジェクトの持つ優先度勾配情報に基づいて選択する機能を有する。
【００３５】
アイコンオブジェクトは、端末ユーザに対して情報を提示するためのものであり、アイコン情報、表示領域情報、メタ情報、優先度数情報を含む。
【００３６】
アイコン情報は、端末装置１００の画面表示部１０７の画面上で伝達対象となる情報を、端末ユーザに対して提示するために簡素化した絵や記号で表現した画像情報である。表示領域情報は、アイコン情報の画像サイズを示す情報である。メタ情報は、アイコンオブジェクトが持つ情報の内容を客観的に意味付けするための情報である。
【００３７】
優先度数情報は、メタ情報によって分類されるアイコンオブジェクトの持つ意味に対する関連性の強さを表すものである。複数のアイコンオブジェクトが同じメタ情報によって分類される際、それらアイコンオブジェクトの関連性の強さ順を評価する際に用いられる。
【００３８】
選択対象となる複数のアイコンオブジェクトは、オブジェクトデータ格納部１０８より取得する。
【００３９】
レイアウト演算部１０５は、フィールドオブジェクト管理部１０１とアイコンオブジェクト管理部１０４よりそれぞれフィールドオブジェクトとアイコンオブジェクトを受け取り、フィールドオブジェクトの持つ優先度勾配情報とアイコンオブジェクトの持つメタ情報と優先度数情報より、フィールドオブジェクト上に配置されるアイコンオブジェクトの表示位置を演算する機能を有する。
【００４０】
レイアウト演算部１０５は、演算の結果を画面表示部１０７に送る。
【００４１】
競合管理部１０６は、レイアウト演算部１０５によって算出された複数のアイコンオブジェクトの表示位置に重なりが生じてしまう場合、その表示位置を修正する機能を有する。
【００４２】
アイコンオブジェクトの表示の重なりは、アイコンオブジェクトが持つ表示領域情報に基づいて検知される。
【００４３】
具体的な修正方法としては、表示上重なり合った状態のアイコンオブジェクトを重なりが生じない位置まで移動させる方法や、重なりあっているアイコンオブジェクトの何れかを非表示にする等の方法が考えられる。
【００４４】
重なり合ったアイコンオブジェクトを重なりが生じない位置まで移動させる場合は、各アイコンオブジェクトの持つメタ情報と優先度数を元に、フィールドオブジェクトが持つメタ情報に対する基準点より、どのアイコンオブジェクトをどの方向に移動させるかを決定する。より具体的には、優先度数を比較して、低く設定されているアイコンオブジェクトは基準点に対して遠いほうに、高く設定されているアイコンオブジェクトは基準点に対して近いほうに配置する。もし仮に、優先度数がまったく同じだった場合は、フィールドオブジェクトが持つ優先度勾配上同じ位置に移動させる。
【００４５】
競合管理部１０６によって修正されたアイコンオブジェクトの表示位置は、再度レイアウト演算部１０５にフィードバックされ再演算される。演算の結果あらたな競合（重なり）が生じた場合は、再度、競合管理部１０６によって競合解決処理が実行される。
【００４６】
画面表示部１０７は、レイアウト演算部１０５によって出力指示を受けたフィールドオブジェクトとアイコンオブジェクトを実際にモニタデバイス等を通じて端末ユーザに対して提示する。
【００４７】
オブジェクトデータ格納部１０８は、フィールドオブジェクトとアイコンオブジェクトを格納し、必要に応じてフィールドオブジェクト管理部１０１、アイコンオブジェクト管理部１０４に送る。
【００４８】
オブジェクトデータ格納部１０８は、端末装置１００内のハードディスク装置等の記憶装置で実現してもよいし、図示していないがネットワーク上に存在する仮想的な記憶装置や、ネットワーク上にある主記憶装置に対するキャッシュで実現してもよい。
【００４９】
（第１の実施の形態の動作）
次に、図３のフローチャートを参照して上述した第１の実施の形態における全体の動作について詳細に説明する。
【００５０】
まず、操作入力受付部１０２が、端末装置１００の端末ユーザからの操作内容をメタ情報に変換し、フィールドオブジェクト管理部１０１に通知する（ステップＡ１０１）。
【００５１】
次に、センサー情報入力受付部１０３が、端末装置１００のセンサーからの情報を収集し、その情報をメタ情報に変換してフィールドオブジェクト管理部１０１に通知する（ステップＡ１０２）。
【００５２】
ここで想定する端末センサーには、ＧＰＳやＲＦＩＤ／ＩＣカードリーダ、加速度センサー等の直接端末装置１００にも搭載可能な物理センサーに加え、Ｂｌｕｅｔｏｏｔｈなどの近距離無線通信を介して得られる端末装置外部のセンサーも含む。
【００５３】
なお、ステップＡ１０１とステップＡ１０２の順番については逆になっても構わない。さらに、どちらか一方のステップを省略しても構わない。
【００５４】
フィールドオブジェクト管理部１０１は、ステップＡ１０１、ステップＡ１０２で得られるメタ情報を元に、オブジェクトデータ格納部１０８から適切なフィールドオブジェクトを選択し決定する（ステップＡ１０３）。
【００５５】
フィールドオブジェクト管理部１０１によるフィールドオブジェクトの選定は、操作入力受付部１０２やセンサー情報入力受付部１０３より受け取るメタ情報を元に、フィールドオブジェクトの優先度勾配情報における基準点に紐付けされたメタ情報とのマッチング処理結果に基づいて行われる。
【００５６】
例えば、メタ情報がテキスト形式で表現されている場合のマッチング処理は、文字列比較が相当する処理となる。
【００５７】
さらに、メタ情報が、ＲＤＦ（Ｒｅｓｏｕｒｃｅ  Ｄｅｓｃｒｉｐｔｉｏｎ  Ｆｒａｍｅｗｏｒｋ）で表現されている場合のマッチング処理は、ＳＰＡＲＱＬなどのＲＤＦクエリ言語を用いた検索が相当する処理となる。
【００５８】
ステップＡ１０３にてフィールドオブジェクトを決定したら、フィールドオブジェクト管理部１０１は、アイコンオブジェクト管理部１０４とレイアウト演算部１０５に対して選定されたフィールドオブジェクトを通知する（ステップＡ１０４）。
【００５９】
次に、ステップＡ１０４にて選定されたフィールドオブジェクトを通知されたアイコンオブジェクト管理部１０４は、通知されたフィールドオブジェクトの優先度勾配情報に含まれた基準点に紐付けされたメタ情報より、オブジェクトデータ格納部１０８から関連するアイコンオブジェクトを選定する（ステップＡ１０５）。
【００６０】
アイコンオブジェクト管理部１０４によるアイコンオブジェクトの選定は、フィールドオブジェクト管理部１０１より通知されたフィールドオブジェクトの優先度勾配情報に含まれた基準点に紐付けされているメタ情報を元に、同様のメタ情報を持ったアイコンオブジェクトをマッチング処理することによって行われる。
【００６１】
マッチング処理には、ステップＡ１０３の場合と同様に、メタ情報がテキスト形式で表現されている場合は文字列検索、ＲＤＦで表現されている場合はＲＤＦクエリ言語を用いた検索手法等が用いられる。
【００６２】
ステップＡ１０５にて選定されたアイコンオブジェクトは、アイコンオブジェクト管理部１０４によってレイアウト演算部１０５に通知される（ステップＡ１０６）。
【００６３】
ステップＡ１０４、ステップＡ１０６にて、フィールドオブジェクトとそれに関連するアイコンオブジェクトを通知されたレイアウト演算部１０５は、フィールドオブジェクトに含まれる優先度勾配情報と、アイコンオブジェクトに含まれるメタ情報、優先度数情報を元に、フィールドオブジェクト上におけるアイコンオブジェクトの表示位置を演算する（ステップＡ１０７）。
【００６４】
以下に、ステップＡ１０７におけるアイコンオブジェクトの表示位置の演算手法を詳細に説明する。
【００６５】
具体例として、１つのフィールドオブジェクトＦ＿ＯＢＪと、３つのアイコンオブジェクトＩ＿ＯＢＪ１、Ｉ＿ＯＢＪ２、Ｉ＿ＯＢＪ３がフィールドオブジェクト管理部１０１とアイコンオブジェクト管理部１０４より送られた場合を想定する。
【００６６】
また、フィールドオブジェクトＦ＿ＯＢＪの優先度勾配情報に含まれる基準点は１つとみなし、その基準点が持つメタ情報はアイコンオブジェクトＩ＿ＯＢＪ１〜Ｉ＿ＯＢＪ３の持つメタ情報と同じであるとする。
【００６７】
図４は、フィールドオブジェクトＦ＿ＯＢＪが持つ背景情報と優先度勾配情報を図示したものである。優先度勾配情報は、基準点Ｘの優先度数を「１００」、有効範囲の外周の優先度数を「０」として、有効範囲内における優先度数が同じ地点を線で結んだ等高線として表現できる。等高線図の下のグラフは、直線Ｌの断面図である。
【００６８】
今、３つのアイコンオブジェクトＩ＿ＯＢＪ１〜Ｉ＿ＯＢＪ３が持つ優先度数をそれぞれ、Ｐ１、Ｐ２、Ｐ３とし、次のように定める。
Ｐ１＝５０
Ｐ２＝１０
Ｐ３＝２５
【００６９】
レイアウト演算部１０５は、優先度数が最大であるアイコンオブジェクトを検索する。その結果、アイコンオブジェクトＩ＿ＯＢＪ１が最大であることが分かり、このアイコンオブジェクトをフィールドオブジェクトの基準点Ｘ上に配置することを決定する。
【００７０】
次に、優先度数が最大であるアイコンオブジェクトＩ＿ＯＢＪ１の優先度数Ｐ１に対して、Ｐ１’＝１００とした時の他のアイコンオブジェクトアイコンオブジェクトＩ＿ＯＢＪ２、Ｉ＿ＯＢＪ３の優先度数の相対比Ｐ２’、Ｐ３’を求める。
Ｐ１’＝１００
Ｐ２’＝２０
Ｐ３’＝５０
【００７１】
こうして求められたＰ１’、Ｐ２’、Ｐ３’の値が、図４における優先度勾配情報の各値に相当する等高線上に配置される。この場合におけるアイコンオブジェクトＩ＿ＯＢＪ１〜Ｉ＿ＯＢＪ３の配置結果は図５に示すようになる。
【００７２】
次に、レイアウト演算部１０５は、ステップＡ１０７で得られた複数のアイコンオブジェクトの表示位置と各アイコンオブジェクトが持つ表示領域情報を競合管理部１０６に送信する（ステップＡ１０８）。
【００７３】
競合管理部１０６は、送信された各アイコンオブジェクトの表示位置と表示領域情報を元に、アイコンオブジェクトの表示上の重なり合い（競合）がないかどうかを判定する（ステップＡ１０９）。
【００７４】
もしも、アイコンオブジェクトの重なり合いが生じている場合、競合管理部１０６は、重なり合いが生じないように重なり合いが生じているアイコンオブジェクトの表示位置を再計算し、その結果をレイアウト演算部１０５に返す（ステップＡ１１０）。
【００７５】
また、ステップＡ１１０において競合管理部１０６は、表示位置を再計算する代わりに、重なり合いが生じているアイコンオブジェクトのうちどれかを非表示にすることによって重なり合いを解消してもよい。
【００７６】
ステップＡ１０９にて、アイコンオブジェクトの表示上の重なり合いがないと判断された、もしくは、ステップＡ１１０にて競合解決された後、レイアウト演算部１０５は、表示すべきフィールドオブジェクトとアイコンオブジェクト、さらに各アイコンオブジェクトの表示位置を画面表示部１０７に通知する（ステップＡ１１１）。
【００７７】
最後に、画面表示部１０７は、ステップＡ１１１にて指定されたフィールドオブジェクト、アイコンオブジェクトを画面デバイス上に表示する（ステップＡ１１２）。
【００７８】
（第１の実施の形態による効果）
第１の実施の形態によれば、フィールドオブジェクトによる背景画面上に、アイコンオブジェクトによるアイコナイズされた情報ソースを、フィールドオブジェクトとアイコンオブジェクトそれぞれが持つメタ情報、優先度数、優先度勾配による演算結果に基づいて配置することにより、ユーザが背景画面から受けるイメージに関連したアイコンが画面上に表示されるので、ユーザにとっては、画面上に表示される情報ソースの認知性が向上する。このため、限られた表示能力を持つ端末装置においてもユーザへの効率的な情報ソースの提示が可能となる。
【００７９】
また、競合管理部で、各アイコンオブジェクトの表示上の重なり合いがないかどうかを判定し、アイコンオブジェクトの重なり合いが生じている場合、重なり合いが生じないようにアイコンオブジェクトの表示位置を再計算することにより、アイコンオブジェクトの重なり合いや表示アイコン数の増加によるユーザの認知性低下を防ぐことができ、ユーザへの効率的な情報ソースの提示が可能となる。
【００８０】
特に、端末装置は携帯端末装置のような表示デバイスの表示能力が限られているような環境で、かつ、情報元はインターネットのようなオープンで情報量の多いソースが対象となるようなシステムに対してより適合するものである。
【００８１】
（第２の実施の形態）
次に、本発明の第２の実施の形態について図面を参照して詳細に説明する。
【００８２】
図６を参照すると、第２の実施の形態による情報提示システムは、ユーザに対してＷｅｂサービスを提供する機能を有するサーバ２００と、サーバ２００とインターネット等のネットワーク４００を介して接続し、Ｗｅｂサービスをユーザが実際に受ける際に利用する端末装置３００を含んでいる。この端末装置３００としては、例えば、携帯電話やカーナビ端末等の表示能力が限られた情報処理装置が利用される。
【００８３】
さらに、サーバ２００の構成について詳細に説明する。サーバ２００は、Ｗｅｂサービス提供部２０１、Ｗｅｂサービスリソース格納部２０２、フィールドオブジェクト格納部２０３を含む。
【００８４】
Ｗｅｂサービス提供部２０１は、端末装置３００に対してＷｅｂサービスを提供する機能を有する。具体的には、Ｗｅｂサービスリソース格納部２０２から取得した画像・動画等のメディア情報やテキスト情報等のサービス情報リソースをＨＴＴＰ等の通信プロトコルを経由して端末装置３００に対して提供する。さらに、上記のサービス情報リソースに加えて、後述するフィールドオブジェクト格納部２０３より取得したフィールドオブジェクトを提供する。
【００８５】
Ｗｅｂサービスリソース格納部２０２は、Ｗｅｂサービスの提供に必要なサービス情報リソースを格納する。
【００８６】
フィールドオブジェクト格納部２０３は、第１の実施の形態で説明したフィールドオブジェクトを格納する。
【００８７】
次に、端末装置３００について詳細に説明する。端末装置３００は、Ｗｅｂサービス実行部３０１と、アイコンオブジェクト管理部３０２と、アイコンオブジェクト格納部３０３と、レイアウト演算部３０４と、競合管理部３０５と、画面表示部３０６とを含む。
【００８８】
Ｗｅｂサービス実行部３０１は、ユーザによる端末操作よりユーザの要求やサービス利用状況などを判断し、それらの情報（ユーザの要求やサービス利用状況）をＷｅｂサービス提供部２０１に送り、その応答としてＷｅｂサービスの利用に必要なサービス情報リソースとフィールドオブジェクトをＷｅｂサービス提供部２０１から受け取る機能を有する。サービス情報リソースは、ユーザのサービス利用状況に応じて、画面表示部３０６に送られる。また、フィールドオブジェクトも同様にユーザのサービス利用状況に応じてレイアウト演算部３０４に送られると同時に、どのようなフィールドオブジェクトがレイアウト演算部３０４に送られたかを示す情報がアイコンオブジェクト管理部３０２に通知される。
【００８９】
アイコンオブジェクト管理部３０２は、第１の実施の形態で示したアイコンオブジェクトを、Ｗｅｂサービス実行部３０１から受け取ったフィールドオブジェクトの持つ優先度勾配情報に基づいて選択する機能を有する。選択対象となる複数のアイコンオブジェクトは、アイコンオブジェクト格納部３０３から取得する。
【００９０】
アイコンオブジェクト格納部３０３は、アイコンオブジェクトを格納する。このアイコンオブジェクト格納部３０３については、端末装置３００内のハードディスク装置等の記憶装置で実現してもよいし、ネットワーク上に存在する仮想的な記憶装置や、ネットワーク上にある主記憶装置に対するキャッシュ等で実現してもよい。
【００９１】
レイアウト演算部３０４は、Ｗｅｂサービス実行部３０１とアイコンオブジェクト管理部３０２からそれぞれフィールドオブジェクトとアイコンオブジェクトを受け取り、フィールドオブジェクトの持つ優先度勾配情報とアイコンオブジェクトの持つメタ情報と優先度数情報に基づいて、フィールドオブジェクト上に配置されるアイコンオブジェクトの表示位置を演算する機能を有する。
【００９２】
レイアウト演算部３０４は、演算の結果は、画面表示部３０６に送る。
【００９３】
競合管理部３０５は、第１の実施の形態において示した競合管理部１０６と同様に、レイアウト演算部３０４によって算出された複数のアイコンオブジェクトの表示位置に重なりが生じてしまう場合、その表示位置を修正する機能を有する。
【００９４】
画面表示部３０６は、Ｗｅｂサービス実行部３０１より取得した、画像・動画・テキスト等のサービス情報リソース、レイアウト演算部３０４によって出力指示を受けたフィールドオブジェクトとアイコンオブジェクトを実際にモニタデバイス等を通じて端末ユーザに対して提示する。
【００９５】
（第２の実施の形態の動作）
次に、図７のフローチャートを参照して上述した第２の実施の形態における全体の動作について詳細に説明する。
【００９６】
図７に示すフローチャートでは、端末装置３００のユーザが、端末装置３００を用いてサーバ２００にアクセスしてＷｅｂサービスの利用を開始する時点から説明する。
【００９７】
まず、サーバ２００のＷｅｂサービス実行部３０１がＷｅｂサービスを利用しようとしているユーザの端末操作を検知し、Ｗｅｂサービス提供部２０１に対してユーザが要求するサービス情報リソースを取得するよう要求する（ステップＢ１０１）。
【００９８】
ステップＢ１０１におけるＷｅｂサービスを利用しようとしているユーザの端末操作の検知の具体例としては、ブラウザやその他のＷｅｂアプリケーションをユーザが起動・操作することが想定される。その際、Ｗｅｂサービス実行部３０１からＷｅｂサービス提供部２０１に対して要求されるサービス情報リソースの内容は、ブラウザを例にとると、Ｗｅｂサービス実行部３０１より送信されてきたＵＲＬが示すＨＴＭＬソースの内容に基づいて決定される。
【００９９】
ステップＢ１０１にて、Ｗｅｂサービス実行部３０１より要求を受けたＷｅｂサービス提供部２０１は、要求の内容に応じて、Ｗｅｂサービスリソース格納部２０２よりＷｅｂサービスの提供に必要なサービス情報リソースを、そしてフィールドオブジェクト格納部２０３よりフィールドオブジェクトを、それぞれ取得し、Ｗｅｂサービス実行部３０１へ送信する（ステップＢ１０２）。
【０１００】
ステップＢ１０２におけるフィールドオブジェクトの決定方法についての具体例としては、サービス情報リソースに対して、フィールドオブジェクトを固定的に紐付けておき、Ｗｅｂサービス実行部３０１から送られてくる要求内容に応じて選択されるサービス情報リソースと対応したフィールドオブジェクトを選択するという方法や、Ｗｅｂサービス提供部２０１によって選択されたサービス情報リソースのデータマイニングを行い、その結果得られたメタ情報を元に関連するフィールドオブジェクトを検索して取得するという方法等が考えられる。
【０１０１】
次に、Ｗｅｂサービス実行部３０１は、ステップＢ１０２にて取得したサービス情報リソースを画面表示部３０６に送る（ステップＢ１０３）。
【０１０２】
さらに、Ｗｅｂサービス実行部３０１は、ステップＢ１０２にて取得したフィールドオブジェクトをレイアウト演算部３０４とアイコンオブジェクト管理部３０２に送る（ステップＢ１０４）。
【０１０３】
ステップＢ１０４にてフィールドオブジェクトを受け取ったアイコンオブジェクト管理部３０２は、フィールドオブジェクトの情報を元に関連するアイコンオブジェクトを選定する（ステップＢ１０５）。
【０１０４】
アイコンオブジェクトの選定方法は、第１の実施の形態におけるアイコンオブジェクト管理部１０４による手法と同様である。
【０１０５】
以降、ステップＢ１０６からステップＢ１１１までは、第１の実施の形態における図６のステップＡ１０６からステップＡ１１１までと同様の処理を実行する。
【０１０６】
最後に、画面表示部３０６がステップＢ１０３で得たサービス情報リソースと共にレイアウト演算部３０４から得たフィールドオブジェクトとアイコンオブジェクトと、アイコンオブジェクトの表示位置を画面上に表示する（ステップＢ１１２）。
【０１０７】
図８は、ステップＢ１１２における画面表示部３０６による画面表示例を示している。
【０１０８】
図中のＩｎｆｏ＿Ｒは、画面表示部３０６がサービス情報リソースを元に表示したＷｅｂサービス提供部２０１が提供する画面である。Ｉ＿ＯＢＪ０４とＩ＿ＯＢＪ０５は、画面Ｉｎｆｏ＿Ｒ上に表示するアイコンオブジェクトである。見た目上はサービス情報リソースが背景となりその上にアイコンオブジェクトが配置される。この際、フィールドオブジェクトが持つ背景画像は透明、もしくは半透明であることが望ましい。
【０１０９】
（第２の実施の形態による効果）
第２の実施の形態では、上述した第１の実施の形態と同様に、ユーザが背景画面から受けるイメージに関連したアイコンが画面上に表示されるので、ユーザにとっては、画面上に表示される情報ソースの認知性が向上する。
【０１１０】
また、アイコンオブジェクトの重なり合いが生じている場合、重なり合いが生じないようにアイコンオブジェクトの表示位置を再計算することにより、アイコンオブジェクトの重なり合いや表示アイコン数の増加によるユーザの認知性低下を防ぐことができ、ユーザへの効率的な情報ソースの提示が可能となる。
【０１１１】
次に、上記実施の形態による端末装置１００（３００）のハードウェア構成例について、図９を参照して説明する。
【０１１２】
図９は、端末装置１００（３００）のハードウェア構成例を示すブロック図である。
【０１１３】
図９を参照すると、端末装置１００（３００）は、一般的なコンピュータ装置と同様のハードウェア構成によって実現することができ、ＣＰＵ（Ｃｅｎｔｒａｌ  Ｐｒｏｃｅｓｓｉｎｇ  Ｕｎｉｔ）４０１、ＲＡＭ（Ｒａｎｄｏｍ  Ａｃｃｅｓｓ  Ｍｅｍｏｒｙ）等のメモリからなる、データの作業領域やデータの一時退避領域に用いられる主記憶部４０２、ネットワークを介してデータの送受信を行う通信部４０３、外部装置と接続してデータの送受信を行う入出力インタフェース部４０４、ＲＯＭ（Ｒｅａｄ  Ｏｎｌｙ  Ｍｅｍｏｒｙ）、磁気ディスク、半導体メモリ等の不揮発性メモリから構成されるハードディスク装置である補助記憶部４０５、本情報処理装置の上記各構成要素を相互に接続するシステムバス４０６、ディスプレイ装置等の出力装置４０７及びキーボード等の入力装置４０８を備えている。
【０１１４】
本実施の形態による端末装置１００（３００）は、情報提示処理を実行するプログラムを組み込んだ、ＬＳＩ（Ｌａｒｇｅ  Ｓｃａｌｅ  Ｉｎｔｅｇｒａｔｉｏｎ）等のハードウェア部品である回路部品を実装することにより、その動作をハードウェア的に実現することは勿論として、フィールドオブジェクト管理部１０１、アイコンオブジェクト管理部１０４、レイアウト演算部１０５、競合管理部１０６の各機能を提供するプログラムを、補助記憶部４０５に格納し、そのプログラムを主記憶部４０２にロードしてＣＰＵ４０１で実行することにより、ソフトウェア的に実現することも可能である。
【０１１５】
以上好ましい実施の形態をあげて本発明を説明したが、本発明は必ずしも、上記実施の形態に限定されるものでなく、その技術的思想の範囲内において様々に変形して実施することができる。
【産業上の利用可能性】
【０１１６】
本発明によれば、広告情報やユーザにとって有益な情報を携帯端末に対してＰＵＳＨ配信する情報配信システムに適用可能である。【０１１７】
この出願は、２００９年１月２６日に出願された日本出願特願２００９−０１３８１３を基礎とする優先権を主張し、その開示の全てをここに取り込む。
【図１】
2010084949.tif 000003
【図２】
2010084949.tif 000004
【図３】
2010084949.tif 000005
【図４】
2010084949.tif 000006
【図５】
2010084949.tif 000007
【図６】
2010084949.tif 000008
【図７】
2010084949.tif 000009
【図８】
2010084949.tif 000010
【図９】
2010084949.tif 000011
【国際調査報告】
2010084949.tif 000012
2010084949.tif 000013